(57)【要約】【課題】  効果的に伝送特性を向上させる光分岐挿入装置、ネットワーク管理装置、及び波長選択スイッチを提供する。【解決手段】  光分岐挿入装置１は、入力された光信号を分岐し、該分岐した光信号を第１及び第２出力ポートからそれぞれ出力する分岐部２１と、第１出力ポートから第１入力ポートに入力された光信号のうち、所定波長の光信号を通過させ、所定波長の光信号と、第２入力ポートから挿入された光信号とを出力する挿入部２２と、第２入力ポートから挿入された光信号の波長に割り当てられたチャネル、及び、所定波長に割り当てられたチャネルが隣接しないとき、所定波長の光信号を通過させる帯域を拡張する制御部１０とを有する。【選択図】図３
2014014017.tif 000002
【特許請求の範囲】
【請求項１】
入力された光信号を分岐し、該分岐した光信号を第１及び第２出力ポートからそれぞれ出力する分岐部と、
前記第１出力ポートから第１入力ポートに入力された光信号のうち、所定波長の光信号を通過させ、前記所定波長の光信号と、第２入力ポートから挿入された光信号とを出力する挿入部と、
前記第２入力ポートから挿入された光信号の波長に割り当てられたチャネル、及び、前記所定波長に割り当てられたチャネルが隣接しないとき、前記所定波長の光信号を通過させる帯域を拡張する制御部とを有することを特徴とする光分岐挿入装置。
【請求項２】
前記制御部は、さらに、前記第２ポートから出力された光信号の波長に割り当てられたチャネル、及び、前記所定波長に割り当てられたチャネルが隣接しないとき、前記所定波長の光信号を通過させる帯域を拡張することを特徴とする請求項１に記載の光分岐挿入装置。
【請求項３】
前記制御部は、前記所定波長の光信号を通過させる帯域を、該帯域の上限、及び下限の少なくとも一方を調整することによって、拡張することを特徴とする請求項１または２に記載の光分岐挿入装置。
【請求項４】
前記制御部は、前記所定波長の光信号を通過させる帯域を、自装置の伝送性能に関するパラメータに応じて拡張することを特徴とする請求項１乃至３の何れかに記載の光分岐挿入装置。
【請求項５】
入力された光信号を分岐し、該分岐した光信号を、第１及び第２出力ポートからそれぞれ出力する分岐部と、前記第１出力ポートから第１入力ポートに入力された光信号のうち、所定波長の光信号を通過させ、前記所定波長の光信号と、第２入力ポートから挿入された光信号とを出力する挿入部とを有する光分岐挿入装置に対して、前記第２入力ポートから挿入された光信号の波長に割り当てられたチャネル、及び、前記所定波長に割り当てられたチャネルが隣接しないとき、前記所定波長の光信号を通過させる帯域を拡張する設定処理部を有することを特徴とするネットワーク管理装置。
【請求項６】
光信号が入力される第１及び第２入力ポートと、
前記第１入力ポートに入力された光信号のうち、所定波長の光信号を通過させるフィルタ部と、
前記フィルタ部を通過した前記所定波長の光信号、及び、前記第２入力ポートから入力された光信号を出力する出力ポートと、
前記第２入力ポートから入力された光信号の波長に割り当てられたチャネル、及び、前記所定波長に割り当てられたチャネルが隣接しないとき、前記所定波長の光信号を通過させる帯域を拡張する制御部とを有することを特徴とする波長選択スイッチ。
【発明の詳細な説明】
【技術分野】
【０００１】
本件は、光分岐挿入装置、ネットワーク管理装置、及び波長選択スイッチに関する。
【背景技術】
【０００２】
通信容量の需要が増加するに伴って、ＷＤＭ技術（ＷＤＭ：Ｗａｖｅｌｅｎｇｔｈ  Ｄｉｖｉｓｉｏｎ  Ｍｕｌｔｉｐｌｅｘｉｎｇ）を利用した光ネットワークが広く普及している。ＷＤＭ技術は、波長が異なる複数の光信号を多重化して伝送する技術である。
【０００３】
ＷＤＭ技術を利用した伝送装置として、ＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）などと称される光分岐挿入装置が知られている。光分岐挿入装置は、トランスポンダなどと称される光信号の送受信器を有している。
【０００４】
光分岐挿入装置は、送受信器から入力された任意の波長の光信号を多重化して他のノードに伝送し、一方、他のノードで多重化された光信号を受信し、任意の波長の光信号を分離して、送受信器を介して出力する。すなわち、光分岐挿入装置は、任意の波長の光信号を挿入、及び分岐する。挿入、及び分岐される光信号の波長は、光分岐挿入装置に接続されたネットワーク管理装置により設定される。
【０００５】
光分岐挿入装置は、異なる方路間において、多重化された光信号が伝送されるように、方路ごとに、光増幅器、及び波長選択スイッチ（ＷＳＳ：Ｗａｖｅｌｅｎｇｔｈ  Ｓｅｌｅｃｔｉｖｅ  Ｓｗｉｔｃｈ）が設けられた光クロスコネクト装置を備えている。ここで、方路とは、接続対象である他ノードとの間に延びる伝送路である。
【０００６】
波長選択スイッチは、多重化された光信号から特定波長を選択して、選択した波長の光信号を、任意のポートから出力する。また、波長選択スイッチは、逆に、任意のポートから入力された光信号を多重化して出力する。
【０００７】
波長選択スイッチは、選択された波長に対応する周波数を中心とするフィルタ通過帯域を有する。複数の光分岐多重装置を接続した場合、累積されたフィルタ通過帯域が狭くなるため、光信号のスペクトル幅が狭められる。したがって、光信号は、光分岐挿入装置を通過するたびに伝送特性が劣化する。光信号のスペクトル幅は、光信号の変調方式に応じ、ビットレートが高いほど広い。したがって、例えば、４０（Ｇｂｐｓ）、または１００（Ｇｂｐｓ）などの高速な光信号を伝送する場合、伝送される光信号のスペクトル幅が広くなるので、複数段のフィルタリングによって広範囲のスペクトルが削られ、エラーレートの悪化などの問題が生ずる。
【０００８】
光信号のスペクトルの狭窄化に関し、例えば、特許文献１には、波長選択スイッチのフィルタ通過帯域を制御する技術が開示されている。この技術は、各波長の光信号を通過させるためのフィルタ通過帯域特性をシームレスに調整可能な波長選択スイッチを利用している。
【先行技術文献】
【特許文献】
【０００９】
【特許文献１】特開２０１０−９８５４４号公報
【発明の概要】
【発明が解決しようとする課題】
【００１０】
上記の技術は、波長選択スイッチにおいて、狭い通過帯域と広い通過帯域とが交互に隣接するように帯域制御を行うものであるため、波長が隣接する光信号間においてクロストークの問題が生ずる。すなわち、特定のノードにおいて分岐される光信号のスペクトルのサイドローブ成分が、隣のノードに伝搬し、結果として伝送特性が劣化するという問題を生ずる。
【００１１】
また、上記の技術は、各波長の光信号それぞれの通過ノード数などのネットワークパラメータに応じて、波長選択スイッチの通過帯域を決定するものであるため、ＮＭＳ（Ｎｅｔｗｏｒｋ  Ｍａｎａｇｅｍｅｎｔ  Ｓｙｓｔｅｍ）などの管理装置において煩雑な計算処理が必要となる。
【００１２】
そこで、本件は上記の課題に鑑みてなされたものであり、効果的に伝送特性を向上させる光分岐挿入装置、ネットワーク管理装置、及び波長選択スイッチを提供することを目的とする。
【課題を解決するための手段】
【００１３】
本明細書に記載の光分岐挿入装置は、入力された光信号を分岐し、該分岐した光信号を第１及び第２出力ポートからそれぞれ出力する分岐部と、前記第１出力ポートから第１入力ポートに入力された光信号のうち、所定波長の光信号を通過させ、前記所定波長の光信号と、第２入力ポートから挿入された光信号とを出力する挿入部と、前記第２入力ポートから挿入された光信号の波長に割り当てられたチャネル、及び、前記所定波長に割り当てられたチャネルが隣接しないとき、前記所定波長の光信号を通過させる帯域を拡張する制御部とを有する。
【００１４】
本明細書に記載のネットワーク管理装置は、入力された光信号を分岐し、該分岐した光信号を、第１及び第２出力ポートからそれぞれ出力する分岐部と、前記第１出力ポートから第１入力ポートに入力された光信号のうち、所定波長の光信号を通過させ、前記所定波長の光信号と、第２入力ポートから挿入された光信号とを出力する挿入部とを有する光分岐挿入装置に対して、前記第２入力ポートから挿入された光信号の波長に割り当てられたチャネル、及び、前記所定波長に割り当てられたチャネルが隣接しないとき、前記所定波長の光信号を通過させる帯域を拡張する設定処理部を有する。
【００１５】
本明細書に記載の波長選択スイッチは、光信号が入力される第１及び第２入力ポートと、前記第１入力ポートに入力された光信号のうち、所定波長の光信号を通過させるフィルタ部と、前記フィルタ部を通過した前記所定波長の光信号、及び、前記第２入力ポートから入力された光信号を出力する出力ポートと、前記第２入力ポートから入力された光信号の波長に割り当てられたチャネル、及び、前記所定波長に割り当てられたチャネルが隣接しないとき、前記所定波長の光信号を通過させる帯域を拡張する制御部とを有する。
【発明の効果】
【００１６】
本明細書に記載の光分岐挿入装置、ネットワーク管理装置、及び波長選択スイッチは、効果的に伝送特性を向上させるという効果を奏する。
【図面の簡単な説明】
【００１７】
【図１】ＲＯＡＤＭ装置のネットワークの一例を示す構成図である。
【図２】比較例に係るＲＯＡＤＭ装置の伝送特性を示す図である。
【図３】実施例に係るＲＯＡＤＭ装置を示す構成図である。
【図４】波長選択スイッチの構成を示す斜視図である。
【図５】ＬＣＯＳ（Ｌｉｑｕｉｄ  Ｃｒｙｓｔａｌ  ｏｎ  Ｓｉｌｉｃｏｎ）の断面を示す断面図である。
【図６】ＬＣＯＳの屈折率の分布の一例を示すグラフである。
【図７】未使用のチャネルがない場合における、チャネルごとのスペクトル、及び波長選択スイッチのフィルタ通過帯域特性の一例を示すグラフである。
【図８】未使用のチャネルがある場合における、チャネルごとのスペクトル、及び波長選択スイッチのフィルタ通過帯域特性の一例を示すグラフである。
【図９】設定テーブルの一例を示す表である。
【図１０】フィルタ通過帯域の拡張の可否に関する判定条件を示す表である。
【図１１】ネットワークにおけるフィルタ通過帯域の拡張の例を示す図である。
【図１２】フィルタ通過帯域の制御に関する制御部の処理を示すフロー図（１）である。
【図１３】チャネルの設定に関する制御部の処理を示すフロー図（２）である。
【図１４】ネットワーク管理装置の一例を示す構成図である。
【図１５】帯域幅に対する信号劣化、及び信号間のクロストークのペナルティ特性を示すグラフである。
【図１６】伝送路数に対するＯＳＮＲ（光信号雑音比：Ｏｐｔｉｃａｌ  Ｓｉｇｎａｌ−ｔｏ−Ｎｏｉｓｅ  Ｒａｔｉｏ）ペナルティ特性を示すグラフである。
【図１７】ビットエラーレート（ＢＥＲ：Ｂｉｔ  Ｅｒｒｏｒ  Ｒａｔｅ）のＯＳＮＲに対する依存性を示すグラフである。
【発明を実施するための形態】
【００１８】
図１は、光分岐挿入装置であるＲＯＡＤＭ装置のネットワークの一例を示す構成図である。各ＲＯＡＤＭ装置１は、互いに光ファイバにより接続され、例えばリング型のネットワーク８０を構成する。ＲＯＡＤＭ装置１は、それぞれ、両隣のＲＯＡＤＭ装置１との間を結ぶ２つの方路＃１，＃２を有している。なお、ネットワーク８０は、図１に示された形態に限定されず、例えば、接続ノードを介して、２つのリング型ネットワークを接続したものであってもよい。この場合、接続ノードに設けられたＲＯＡＤＭ装置は、４つの方路を有する。
【００１９】
ネットワーク管理装置８は、例えばＮＭＳであり、ネットワーク８０内の各ＲＯＡＤＭ装置１を管理する。ネットワーク管理装置８は、ＬＡＮ（Ｌｏｃａｌ  Ａｒｅａ  Ｎｅｔｗｏｒｋ）などの監視制御用ネットワークＮＷを介して、各ＲＯＡＤＭ装置１と接続されている。
【００２０】
各ＲＯＡＤＭ装置１は、各波長λin１，λin２，λin３・・・の光信号が入力され、該光信号を波長多重して、ネットワーク８０内において伝送する。また、各ＲＯＡＤＭ装置１は、各波長λout１，λout２，λout３・・・の光信号を波長光から分離して出力する。
【００２１】
したがって、ネットワーク管理装置８を用いて、各ＲＯＡＤＭ装置１ａ〜１ｇに入出力される光信号の波長ごとにチャネルを割り当てることによって、該光信号が任意のＲＯＡＤＭ装置１の間において伝送される。なお、以降の説明において、外部からＲＯＡＤＭ装置１への光信号λin１，λin２，λin３・・・の入力を「挿入」と表記し、ＲＯＡＤＭ装置１から外部への光信号λout１，λout２，λout３・・・の出力を「分岐」と表記する。また、複数波長の光信号が多重された光を「多重光」と表記し、各波長に割り当てた帯域を「チャネル」と表記する。
【００２２】
図２は、比較例に係るＲＯＡＤＭ装置の伝送特性を示す図である。グラフＰ１〜Ｐ４は、２４台のＲＯＡＤＭ装置９間を結ぶ伝送路において、４０（Ｇｂｐｓ）の光信号を伝送したときの特性を示す。グラフＰ１，Ｐ２は、波長λの光信号が、送信ノードのＲＯＡＤＭ装置８に挿入されたときの該光信号のスペクトル、及びアイパタンをそれぞれ示す。一方、グラフＰ３，Ｐ４は、上記の光信号が、受信ノードのＲＯＡＤＭ装置８から分岐されたときの該光信号のスペクトル、及びアイパタンをそれぞれ示す。
【００２３】
グラフＰ１及びＰ２を参照すると、光信号は、複数のＲＯＡＤＭ装置８の各波長選択スイッチのフィルタ通過帯域特性のためにスペクトルが狭まっている。このスペクトルの狭窄化に伴い、光信号のアイパタンも、グラフＰ２及びＰ４に示されるように、劣化し、結果として、エラーレートの増加などの伝送路特性の劣化が生ずる。
【００２４】
図３は、実施例に係るＲＯＡＤＭ装置１を示す構成図である。ＲＯＡＤＭ装置１は、制御部１０と、記憶部１１と、光クロスコネクト部１２と、複数のＤＥＭＵＸ部１３と、複数のＭＵＸ部１４と、複数の送受信器（ＴＰ）１５とを有する。光クロスコネクト部１２は、方路＃１〜＃Ｎごとに設けられた複数の増幅部３ａ，３ｂ、及び複数のスイッチ部２ａ，２ｂを含む。なお、図３には、方路＃１及び＃２にそれぞれ対応する増幅部３ａ，３ｂ、及びスイッチ部２ａ，２ｂのみが示されているが、他方路に対応する増幅部、及びスイッチ部も同様の構成を有する。
【００２５】
増幅部３ａ，３ｂは、それぞれ、方路＃１，＃２から入力された多重光を増幅する入力側増幅器３２、及び、方路＃１，＃２に出力される多重光を増幅する出力側増幅器３１を含む。また、スイッチ部２ａ，２ｂは、それぞれ、光スプリッタ（ＳＰＬ）２１、波長選択スイッチ（ＷＳＳ）２２、及び監視部２０を有する。
【００２６】
光スプリッタ２１は、入力ポートに入力された光をパワー分岐して、複数の出力ポートから出力する。すなわち、光スプリッタ２１は、入力された光信号を分岐し、該分岐した光信号を複数の出力ポートからそれぞれ出力する分岐部として機能する。なお、本実施例では、分岐部として光スプリッタ２１を用いているが、これに限定されず、多重光をパワー分岐する他のデバイスを使用してもよい。さらに、パワー分岐可能なデバイスに限らず、波長選択スイッチなどを用いることにより、所望波長の光信号のみを分岐してもよい。
【００２７】
光スプリッタ２１の入力ポートは、入力側増幅器３２と接続され、一方、複数の出力ポートは、ＤＥＭＵＸ部１３、他方路＃１〜＃Ｎの波長選択スイッチ２２と接続されている。光スプリッタ２１は、入力側増幅器３２から入力された多重光を、ＤＥＭＵＸ部１３、他方路＃１〜＃Ｎの波長選択スイッチ２２にそれぞれ出力する。
【００２８】
波長選択スイッチ２２は、複数の入力ポートそれぞれから複数の光信号が入力され、所望の波長の光信号を通過させることで、波長の選択を行う。また、波長選択スイッチ２２は、選択した波長の光信号を多重化して出力ポートから出力する。
【００２９】
波長選択スイッチ２２の複数の入力ポートは、ＭＵＸ部１４、及び、他方路＃１〜＃Ｎの光スプリッタ２１と接続され、一方、出力ポートは、出力側増幅器３１と接続されている。波長選択スイッチ２２は、ＭＵＸ部１４より入力（挿入）された光信号と、選択した波長の光信号とを多重化し、出力側増幅器３１を介して、対応する方路＃１〜＃Ｎに出力する。すなわち、波長選択スイッチ２２は、光スプリッタ２１の出力ポートから入力ポートに入力された多重光（光信号）のうち、所定波長の光信号を通過させ、所定波長の光信号と、他の入力ポートから挿入された光信号とを出力する挿入部として機能する。
【００３０】
波長選択スイッチ２２は、制御部１０からの設定に基づいて、入力ポートごとに１以上の波長を選択する。波長選択スイッチ２２は、例えば、２次元ピクセル構造のＬＣＯＳを備えた液晶型ＷＳＳである。
【００３１】
図４には、波長選択スイッチ２２の構成が示されている。波長選択スイッチ２２は、ＬＣＯＳ２２０と、レンズ２２１と、複数のアレイ導波路（ＡＷＧ：Ａｒｒａｙｅｄ  Ｗａｖｅｇｕｉｄｅ  Ｇｒａｔｉｎｇ）２２２，２２３とを含む。複数のアレイ導波路２２２，２２３は、光信号を入出力するための複数の第１ポート２２２ａ，２２３ａと、第２ポート２２２ａ，２２２ｂとを有する。なお、複数のアレイ導波路２２２，２２３は、積層構造を有する積層型アレイ導波路を構成し、その層数は、波長選択スイッチ２２のポート数に一致する。
【００３２】
本実施例における波長選択スイッチ２２は、ＡＤＤ型である。このため、波長選択スイッチ２２は、複数のアレイ導波路２２２の第２ポート２２２ｂから光信号がそれぞれ入力され、入力された光信号のうち、１以上の波長の光信号を選択して、アレイ導波路２２３の第２ポート２２３ｂから出力する。つまり、アレイ導波路２２２の各第２ポート２２２ｂは、波長選択スイッチ２２の入力ポートとして機能し、他方、アレイ導波路２２３の第２ポート２２３ｂとして機能する。
【００３３】
アレイ導波路２２２は、第２ポート２２２ｂから複数の波長λ１，λ２，λ３，・・・λｎの多重光が入力されると、多重光を波長ごとに分離して複数の出力ポート２２２ａからそれぞれ出力する。各波長λ１，λ２，λ３，・・・λｎの光は、レンズ２２１を通過することによって、ＬＣＯＳ２２０の異なる領域２２０ａ〜２２０ｄに結像する。
【００３４】
ＬＣＯＳ２２０は、入力ポート２２２ｂに入力された光信号のうち、所定波長の光信号を通過させるフィルタ部として機能する。各波長λ１，λ２，λ３，・・・λｎの光は、各領域２２０ａ〜２２０ｄにおいて位相変調されることによって回折角が制御される。これにより、波長選択スイッチ２２は、複数の波長λ１，λ２，λ３，・・・λｎのうち、所定波長の光信号を選択して、第１ポート２２３ａからアレイ導波路２２３に出力することができる。アレイ導波路２２３に出力された各波長の光は、合波され、多重光として出力ポート２２３ｂから出力される。
【００３５】
上述したように、波長選択スイッチ２２は、光スプリッタ２１の出力ポートから入力ポートに入力された光信号のうち、所定波長の光信号を通過させ、所定波長の光信号と、他の入力ポートから挿入された光信号とを出力する。したがって、フィルタ部を通過した所定波長の光信号、及び、他の入力ポートから入力（挿入）された光信号は、出力ポート２２３ｂから出力される。
【００３６】
図５には、ＬＣＯＳ２２０の断面が示されている。ＬＣＯＳ２２は、上部電極層９０と、液晶層９１と、下部電極層９２と、シリコン基板９３とを含む。なお、図１６に示された層構成は、各領域２２０ａ〜２２０ｄに関して共通である。
【００３７】
シリコン基板９３の表面には、下部電極層９２、液晶層９１、及び上部電極層９０が、この順に積層されている。上部電極層９０は、例えば、ＩＴＯ（Ｉｎｄｉｕｍ  Ｔｉｎ  Ｏｘｉｄｅ（酸化インジウムスズ））などの透明導電膜であり、グランドなどの共通電位が与えられている。液晶層９１は、絶縁性のギャップ部９４によって複数のセルＮ１〜Ｎｎに分離されている。
【００３８】
また、下部電極層９２も、ギャップ部９４によって、複数のセルＮ１〜Ｎｎの各々に対応する電極に分離されている。下部電極層９２は、セルＮ１〜Ｎｎに電圧を印加するための電極として機能するだけでなく、入射した信号光を反射するミラーとしても機能する。
【００３９】
液晶層９１は、制御部１０の制御に従って下部電極層９を介して印加された電圧に応じて、屈折率が変調される。この屈折率変調をセルＮ１〜Ｎｎごとに行うことによって、任意の屈折率分布が形成される。図６は、ＬＣＯＳ２２０の屈折率の分布の一例を示すグラフである。なお、図６中、点線は等価屈折率を示し、また、横軸は、セルＮ１〜Ｎｎの各位置を示している。
【００４０】
本例において、セルＮ１〜Ｎｎの屈折率は、Ｘ方向に沿って段階的に増加するように分布しており、さらに、この増加するパタンが、周期的に繰り返される。このように、屈折率分布を形成されることにより、ＬＣＯＳ２２０は、入射した光を位相変調し、任意の角度に反射することが可能となる。そして、光信号の反射特性は、該光信号が通過する帯域の幅に影響する。したがって、ＬＣＯＳ２２０は、通過させる波長（上記の所定波長）を選択するだけでなく、該波長の光信号を通過させる帯域（フィルタ通過帯域）をピクセル単位（つまり、セルＮ１〜Ｎｎ単位）で制御することができる。
【００４１】
再び図３を参照すると、監視部２０は、波長選択スイッチ２２の出力ポートから出力される光信号の有無、及びパワーを監視し、波長選択スイッチ２２に対して、波長、つまりチャネルごとの減衰量を調整することによってパワーを調整する。なお、波長選択スイッチ２２の出力ポートから出力される光信号は、スプリッタなどにより分岐されて、監視部２０に入力される。
【００４２】
ＤＥＭＵＸ部１３は、多重光を分波するため、所定の方路＃１〜＃Ｎより入力された多重光を、各波長の光信号に分離して外部に出力する分離部として機能する。ＤＥＭＵＸ部１３は、複数の送受信器１５と接続され、各送受信器１５に対応するチューナブルフィルタを有する。ＤＥＭＵＸ部１３は、スプリッタ２１から入力された多重光から、チューナブルフィルタにより選択された波長の光信号を分離して送受信器１５に出力する。チューナブルフィルタにおける波長の選択は、制御部１０の設定に従って、対応する送受信器１５ごとに行われる。送受信器１５に出力された光信号は、外部の装置に出力される。なお、チューナブルフィルタは、送受信器１５の受信処理部に設けられてもよい。
【００４３】
ＭＵＸ部１４は、光信号を挿入するため、複数の送受信器１５と接続され、外部の装置から送受信器１５を介して入力された光信号を、波長選択スイッチ２２の入力ポートに出力する。ＭＵＸ部１４は、アレイ導波路格子などを含み、複数の送受信器１５からの光信号を束ねて、波長選択スイッチ２２に出力する。
【００４４】
制御部１０は、例えばＣＰＵ（Ｃｅｎｔｒａｌ  Ｐｒｏｃｅｓｓｉｎｇ  Ｕｎｉｔ）などの演算処理回路であり、所定のプログラムに基づいてＲＯＡＤＭ装置１を制御する。制御部１０は、監視制御用ネットワークＮＷを介して、ネットワーク管理装置８と通信を行う。なお、制御部１０は、このようにソフトウェアにより機能するものに限定されることはなく、特定用途向け集積回路などのハードウェアにより機能するものであってもよい。
【００４５】
記憶部１１は、例えばメモリであり、装置１の伝送性能に関するパラメータ１１０、及び、光信号の波長それぞれの設定が登録された設定テーブル１１１を記憶する。制御部１０は、設定テーブル１１１を参照して、波長選択スイッチ２２、及びＤＥＭＵＸ部１３に対して設定処理を行う。
【００４６】
制御部１０は、波長選択スイッチ２２に対して、選択波長の設定、及びフィルタ通過帯域の設定を行う。波長選択スイッチ２２は、選択された波長、つまり、チャネルの中心周波数を中心としたフィルタ通過帯域を有する。
【００４７】
図７は、未使用のチャネルがない場合における、チャネルを占有する光信号のスペクトル、及び波長選択スイッチ２２のフィルタ通過帯域特性の一例を示すグラフである。本例は、波長選択スイッチ２２において、チャネルＣＨ１〜ＣＨ５それぞれに割り当てられた波長が選択されている場合を仮定している。グラフＧ１は、チャネルＣＨ１〜ＣＨ５を占有する光信号ごとに、周波数（ＧＨｚ）に対する光パワー（ｄＢ）の変化として、スペクトル特性を示している。チャネルＣＨ１〜ＣＨ５を占有する光信号のスペクトルは、中心周波数ｆ１〜ｆ５を中心として一定の幅を有している。なお、スペクトルの幅は、光信号の伝送速度に従って決定される。
【００４８】
グラフＧ２は、周波数（ＧＨｚ）に対する損失（ｄＢ）の変化として、波長選択スイッチ２２のフィルタ通過帯域特性を示している。各チャネルＣＨ１〜ＣＨ５は、一定間隔をおいて波長が割り当てられ、周波数軸上、互いに隣接している。このため、波長選択スイッチ２２のフィルタ通過帯域は、各チャネルＣＨ１〜５に割り当てられた波長の光信号を通過させる通過帯域が統合されることによって一連の広い帯域となる。したがって、本例において、上述した光信号のスペクトルの狭窄化の問題は生じない。
【００４９】
一方、図８は、未使用のチャネルがある場合における、各チャネルを占有する光信号のスペクトル、及び波長選択スイッチ２２のフィルタ通過帯域特性の一例を示すグラフである。本例は、波長選択スイッチ２２において、チャネルＣＨ１、ＣＨ３，ＣＨ５それぞれに割り当てられた波長が選択され、チャネルＣＨ２、及びＣＨ４に割り当てられた波長が選択されていない場合を仮定している。グラフＧ３は、スペクトル特性を示し、グラフＧ４は、フィルタ通過帯域特性を示す。
【００５０】
図８において、チャネルＣＨ２、及びＣＨ４は未使用であるため、各チャネルＣＨ１、ＣＨ３，ＣＨ５に割り当てられた波長の光信号を通過させるフィルタ通過帯域は、各中心周波数ｆ１，ｆ３、ｆ５を中心とした不連続な帯域となり、各帯域の一部は、未使用のチャネルＣＨ２、及びＣＨ４の帯域幅と部分的に重なる。したがって、本例のように、隣接するチャネルが存在しない場合、上述したスペクトルの狭窄化の問題が生ずる。
【００５１】
この問題を回避するために、制御部１０は、グラフＧ５に示されるように、フィルタ通過帯域を拡張する。例えばチャネルＣＨ３について、制御部１０は、周波数軸上、チャネルＣＨ３の両側に隣接するチャネルＣＨ２、及びＣＨ４が未使用であるため、チャネルＣＨ３に割り当てられた波長の光信号を通過させるフィルタ通過帯域の上限Ｂｕ、及び下限Ｂｄを調整することによって、該通過帯域を拡張する（点線参照）。
【００５２】
通過帯域の拡張は、例えば、上述したように、波長選択スイッチ２２内のＬＣＯＳをピクセル単位で制御することにより行われる。ＬＣＯＳを有する波長選択スイッチは、固定された波長（周波数）のグリッドに依らず、フィルタの通過帯域を自在に制御することが可能である。なお、波長選択スイッチ２２は、このような液晶型に限定されず、例えばＤＬＰ（Ｄｉｇｉｔａｌ  Ｌｉｇｈｔ  Ｐｒｏｃｅｓｓｉｎｇ）型であってもよい。
【００５３】
制御部１０は、波長選択スイッチ２２のフィルタ通過帯域を、自装置１の伝送性能に関するパラメータ１１０に応じて拡張してもよい。パラメータ１１０としては、例えば伝送速度、伝送距離、分散値、及び伝送路数（スパン数）などが挙げられる。例えば、制御部１０は、伝送速度に応じて、制御するピクセル数を調整するとよい。このように、拡張する帯域幅を、伝送性能に関するパラメータ１１０に応じて調整することにより、伝送性能に応じた最適な伝送特性が得られる。
【００５４】
また、制御部１０は、波長選択スイッチ２２のフィルタ通過帯域を、該フィルタ通過帯域の上限Ｂｕ、及び下限Ｂｄの少なくとも一方を調整することによって、拡張してもよい。この場合、図８の例において、チャネルＣＨ２が使用され、チャネルＣＨ４が未使用であるとき、制御部１０は、チャネルＣＨ３に割り当てられた波長の光信号を通過させるフィルタ帯域の上限Ｂｕのみを調整することによって、フィルタ通過帯域を拡張する。一方、チャネルＣＨ２が未使用であり、チャネルＣＨ４が使用中であるとき、制御部１０は、チャネルＣＨ３に割り当てられた波長の光信号を通過させるフィルタ帯域の下限Ｂｄのみを調整することによって、フィルタ通過帯域を拡張する。この制御によれば、フィルタ通過帯域を、各波長に対するチャネルの割り当てに応じて柔軟に制御することができる。
【００５５】
制御部１０は、上述したフィルタ通過帯域の制御にあたり、隣接波長間における影響を避けるために、該隣接波長の設定内容に応じて可否を判定する。波長ごとの設定内容は、設定テーブル１１１に記録されている。
【００５６】
図９には、設定テーブル１１１の一例が示されている。設定テーブル１１１の内容は、制御部１０を介し、ネットワーク管理装置８からの設定に基づいて内容の登録、及び更新が行われる。
【００５７】
「チャネル」は、各チャネルの識別情報を示す。「波長」は、該チャネルに割り当てられた波長λ１，λ２．λ３・・・を示す。波長は、一定の間隔をおいて設定されている。この間隔は、周波数にすると、例えば５０（ＧＨｚ）である。
【００５８】
「入力元方路」は、該波長の光信号が、多重光として入力される入力元の方路＃１〜＃Ｎを示す。「出力先方路」は、該波長の光信号が、多重光として出力される出力先の方路＃１〜＃Ｎを示す。
【００５９】
「設定」は、該波長の光信号の設定内容を示す。「通過」設定は、該波長の光信号を、「入力元方路」から、波長選択スイッチ２２を介して「出力先方路」へ導くための設定である。「通過」設定がなされた波長の光信号は、入力側増幅器３２、スプリッタ２１、波長選択スイッチ２２、及び出力側増幅器３１の順に経由して、所定の方路から他方路へと導かれる。この場合、制御部１０は、波長選択スイッチ２２に対して、該波長を選択するように設定する。
【００６０】
「挿入」設定は、該波長の光信号を、ＭＵＸ部１４から波長選択スイッチ２２に入力して多重するための設定である。「挿入」設定がなされた波長の光信号は、送受信器１５、ＭＵＸ部１４、波長選択スイッチ２２、及び出力側増幅器３１の順に経由して、外部から他方路へと導かれる。この場合、制御部１０は、波長選択スイッチ２２に対して、該波長を選択するように設定する。
【００６１】
「分岐」設定は、該波長の光信号をＤＥＭＵＸ部１３により分離するための設定である。「分岐」設定がなされた波長の光信号は、入力側増幅器３２、スプリッタ２１、ＤＥＭＵＸ部１３、及び送受信器１５の順に経由して、所定の方路＃１〜＃Ｎから外部へと導かれる。この場合、制御部１０は、ＤＥＭＵＸ部１３の所定のチューナブルフィルタに対して、該波長を選択するように設定する。また、「分岐」設定がなされた波長の光信号は、該波長光のスペクトルのサイドローブ成分を、ネットワーク８０内の隣のＲＯＡＤＭ装置１に伝搬させないように遮断するため、波長選択スイッチ２２において選択されない。
【００６２】
「未使用」設定は、該チャネルを未使用とするための設定である。つまり、「未使用」設定であるチャネルに割り当てられた波長は、未使用となる。また、他にも、波長が割り当てられていないチャネルを「未使用」として設定してもよい。
【００６３】
「未使用」設定がなされた波長に割り当てたチャネルで伝送される波長光は、装置１に入出力されない。なお、「未使用」設定がなされた波長は、該波長の光信号がネットワーク８０内の隣のＲＯＡＤＭ装置１に伝送されないように遮断するため、波長選択スイッチ２２において選択されない。
【００６４】
図９の例において、チャネルＣＨ４，ＣＨ６，ＣＨ７，ＣＨ９に割り当てられた波長の光信号は、方路＃１から方路＃２に通過するように通過設定がなされる。チャネルＣＨ２，ＣＨ１０に割り当てられた波長の光信号は、外部から挿入されて方路＃２に出力されるように挿入設定がなされる。チャネルＣＨ１，ＣＨ８に割り当てられた波長の光信号は、方路＃１から入力された多重光から分岐して外部に出力されるように分岐設定がなされる。チャネルＣＨ３，５に割り当てられた波長の光信号は、装置１に入出力されないように未使用設定となる。なお、図９は、外部、または方路＃１から方路＃２に向かう方向に関する設定例のみを示しているが、他の方向に関しても同様の設定が存在する。
【００６５】
制御部１０は、設定テーブル１１１を参照して、チャネルＣＨｉに設定された波長を通過させるフィルタ通過帯域ごとに、拡張の可否を判定する。図１０には、フィルタ通過帯域の拡張の可否に関する判定が示されている。
【００６６】
図１０は、波長選択スイッチ２２のフィルタ通過帯域特性の周波数軸（図７、及び図８参照）において互いに隣接する一組のチャネルＣＨｉ、ＣＨｉ±１それぞれに割り当てられた波長の設定の組み合わせごとに、拡張可能（「ＯＫ」）、または拡張不可能（「ＮＧ」）を示す。フィルタ通過帯域の拡張は、通過設定がなされたチャネルＣＨｉ（ＣＨｉ±１）に割り当てられた波長の光信号を対象とする。これは、上述した光信号のスペクトルの狭窄化は、複数の波長選択スイッチ２２のフィルタ部を通過することにより生ずるからである。
【００６７】
また、フィルタ通過帯域の拡張は、対象となる波長に割り当てられたチャネルＣＨｉ（ＣＨｉ±１）の隣接チャネルＣＨｉ±１（ＣＨｉ）の波長が未使用設定である場合に行われる。以下に、制御部１０によるフィルタ通過帯域の拡張処理について詳述する。
【００６８】
制御部１０は、挿入設定がなされた光信号の波長に割り当てられたチャネル、及び、通過設定がなされた波長の光信号に割り当てられたチャネルが隣接しないとき、通過設定がなされた波長の光信号を通過させる帯域を拡張する。つまり、隣接する一組のチャネルＣＨｉ、ＣＨｉ±１に割り当てられた各波長の設定が、通過設定、及び挿入設定である場合、制御部１０は、通過設定のチャネルの波長に対応するフィルタ通過帯域を拡張しない。
【００６９】
これにより、挿入設定のチャネルに割り当てられた波長の光信号が、通過設定のチャネルに割り当てられた波長の光信号との間でクロストークを生じて、フィルタ通過帯域が削られることが防止される。したがって、挿入時における光信号のフィルタ通過帯域を十分に確保することが可能となり、該光信号が多段構成の光分岐挿入装置１を通過する場合の伝送特性が向上する。
【００７０】
また、制御部１０は、分岐設定がなされた光信号の波長に割り当てられたチャネル、及び、通過設定がなされた波長の光信号に割り当てられたチャネルが隣接しないとき、通過設定がなされた波長の光信号を通過させる帯域を拡張する。つまり、隣接する一組のチャネルＣＨｉ、ＣＨｉ±１に割り当てられた各波長の設定が、通過設定、及び分岐設定である場合、制御部１０は、通過設定のチャネルの波長に対応するフィルタ通過帯域を拡張しない。例えば、図９に示された例において、通過設定がなされた波長に対応するＣＨ９に隣接するＣＨ８及びＣＨ１０は、それぞれ、分岐設定及び挿入設定であるから、制御部１０は、ＣＨ９に割り当てられた波長の光信号のフィルタ通過帯域を拡張しない。
【００７１】
これにより、分岐設定のチャネルに割り当てられた波長の光信号のスペクトルのサイドローブ成分が下流側の装置１に伝搬することによりクロストークが生じ、信号が劣化することが防止される。なお、本実施例では、分岐部として光スプリッタ２１を用いたため、分岐設定がなされた波長の光信号が、挿入部である波長選択スイッチ２２に入力されるが、分岐部として波長選択スイッチを用いる場合、分岐設定の光信号は、挿入部２２に入力されない。したがって、この場合、制御部１０は、分岐設定がなされた波長の光信号を、未使用設定がなされた波長の光信号として取り扱い、その隣接チャネルに割り当てられた波長が通過設定であれば、当該光信号のフィルタ通過帯域を拡張してもよい。
【００７２】
さらに、制御部１０は、通過設定がなされた光信号の波長に割り当てられたチャネル、及び、通過設定がなされた他の波長の光信号に割り当てられたチャネルが隣接しないとき、通過設定がなされた波長の光信号を通過させる帯域を拡張する。つまり、制御部１０は、隣接する一組のチャネルＣＨｉ、ＣＨｉ±１に割り当てられた各波長の設定が、何れも通過設定である場合、制御部１０は、何れのチャネルの波長に対応するフィルタ通過帯域も拡張しない。
【００７３】
これは、図７を参照して説明したように、通過設定された波長に割り当てられた複数のチャネルが互いに隣接している場合、スペクトルの狭窄化の問題が生じないためである。もっとも、この場合、波長選択スイッチ２２のフィルタ通過帯域は、一連の広い帯域となり、フィルタ通過帯域の拡張は影響しないから、制御部１０は、通過設定がなされた光信号の波長に割り当てられたチャネルのフィルタ通過帯域を拡張してもよい。
【００７４】
上述したように、制御部１０は、一方のチャネルＣＨｉ（ＣＨｉ±１）に割り当てられた波長が通過設定であり、他方のチャネルＣＨｉ±１（ＣＨｉ）が未使用設定である場合に、波長選択スイッチ２２のフィルタ通過帯域を拡張する。図９の例の場合、通過設定のチャネルＣＨ４に割り当てられた波長を通過させる通過帯域は、両側の隣接チャネルＣＨ３，ＣＨ５が未使用設定であるから、フィルタ通過帯域の上限、及び下限の両方を調整することにより、該フィルタ通過帯域が拡張される。また、通過設定のチャネルＣＨ６に割り当てられた波長は、片側の隣接チャネルＣＨ５が未使用設定であるから、フィルタ通過帯域の下限Ｂｄのみを調整することにより、該フィルタ通過帯域が拡張される。なお、通過設定のチャネルＣＨ７に割り当てられた波長は、隣接チャネルＣＨ６，ＣＨ７が未使用設定ではないから、該フィルタ通過帯域は拡張されない。
【００７５】
このように、制御部１０は、通過設定とされた波長に割り当てられたチャネルに隣接するチャネルが未使用設定である場合に、通過設定とされた波長の光信号を通過させる通過帯域を拡張する。とくに、制御部１０は、波長選択スイッチ２２の入力ポートから挿入された光信号の波長に割り当てられたチャネル、及び、多重光から選択された所定波長に割り当てられたチャネルが隣接しないとき、所定波長の光信号を通過させる帯域を拡張する。これにより、煩雑な計算処理などを行うことなく、ＲＯＡＤＭ装置１を通過する光信号、及びＲＯＡＤＭ装置１に挿入される光信号のスペクトルの狭窄化及びクロストークなどが防止される。さらに、ＲＯＡＤＭ装置１を通過する光信号と、隣接するチャネルＣＨｉ（ＣＨｉ±１）に割り当てられた波長の光信号との間のクロストークなども回避される。
【００７６】
図１１には、ネットワークにおけるフィルタ通過帯域の拡張の例を示されている。ここでは、波長λ１に割り当てられたチャネルＣＨ１、及び波長λ２に割り当てられたチャネルＣＨ２を占有する各光信号が、複数のＲＯＡＤＭ装置（ａ）〜（ｆ）１間を伝送される場合を例に挙げる。なお、チャネルＣＨ１，ＣＨ２は、周波数軸上、互いに隣接する。
【００７７】
チャネルＣＨ１に割り当てられた光信号は、ＲＯＡＤＭ装置（ｂ）１に挿入され、ＲＯＡＤＭ装置（ｄ）１から分岐される。また、チャネルＣＨ２に割り当てられた光信号は、ＲＯＡＤＭ装置（ａ）１に挿入され、ＲＯＡＤＭ装置（ｆ）１から分岐される。
【００７８】
ＲＯＡＤＭ装置（ａ）１において、チャネルＣＨ１に割り当てられた波長λ１は未使用設定とされ、チャネルＣＨ２に割り当てられた波長λ２は挿入設定とされる。このため、ＲＯＡＤＭ装置（ａ）１の波長選択スイッチ２２において、波長λ２が選択される（符号Ｇ６参照）。
【００７９】
ＲＯＡＤＭ装置（ｂ）１において、チャネルＣＨ１に割り当てられた波長λ１は挿入設定とされ、チャネルＣＨ２に割り当てられた波長λ２は通過設定とされる。このため、ＲＯＡＤＭ装置（ｂ）１の波長選択スイッチ２２において、波長λ１、及びλ２が選択される（符号Ｇ７参照）。このとき、ＲＯＡＤＭ装置（ｂ）１の制御部２０は、波長λ２の光信号を通過させる帯域の拡張を行わないため、挿入される波長λ１の光信号を通過させる帯域が確保される。
【００８０】
ＲＯＡＤＭ装置（ｃ）１において、チャネルＣＨ１，ＣＨ２それぞれに割り当てられた波長は通過設定とされる。このため、ＲＯＡＤＭ装置（ｃ）１の波長選択スイッチ２２において、波長λ１、及びλ２が選択される（符号Ｇ８参照）。
【００８１】
ＲＯＡＤＭ装置（ｄ）１において、チャネルＣＨ１に割り当てられた波長は分岐設定とされ、チャネルＣＨ２に割り当てられた波長は通過設定とされる。このため、ＲＯＡＤＭ装置（ｄ）１の波長選択スイッチ２２において、波長λ２が選択され、波長λ１が遮断される（符号Ｇ９参照）。このとき、ＲＯＡＤＭ装置（ｄ）１の制御部２０は、波長λ２の光信号を通過させる帯域の拡張を行わないため、分岐される波長λ１の光信号のサイドローブ成分が下流に漏れることがない。
【００８２】
ＲＯＡＤＭ装置（ｅ）１において、チャネルＣＨ１は未使用設定とされ、チャネルＣＨ２に割り当てられた波長は通過設定とされる。このため、ＲＯＡＤＭ装置（ｅ）１の波長選択スイッチ２２において、波長λ２が選択される。このとき、図１０に示される条件が満たされるから、波長λ２の光信号を通過させる帯域が拡張される（符号Ｇ１０参照）。
【００８３】
ＲＯＡＤＭ装置（ｆ）１において、チャネルＣＨ１は未使用設定とされ、チャネルＣＨ２に割り当てられた波長λ２は分岐設定とされる。このため、ＲＯＡＤＭ装置（ｆ）１の波長選択スイッチ２２において、波長λ１，λ２が遮断される（符号Ｇ１１参照）。
【００８４】
このように、チャネルＣＨ２の隣接チャネルＣＨ１が未使用設定とされているＲＯＡＤＭ装置（ｅ）１のみにおいて、波長選択スイッチ２２は、チャネルＣＨ２が割り当てられた波長λ２についてフィルタ通過帯域が拡張される。したがって、本例では、隣接するチャネルＣＨ１及びＣＨ２に割り当てられた波長λ１，λ２の光信号の伝送特性は、互いに影響することがなく、向上する。
【００８５】
次に、図１２、及び図１３のフロー図を参照して、チャネルに割り当てられた波長の設定に関する制御部１０の処理を説明する。この処理は、例えば、ＲＯＡＤＭ装置１の電源投入時などの起動時、または、ネットワーク管理装置８による設定テーブル１１１の登録時と更新時に行われる。なお、図１２、及び図１３は、「Ａ」、及び「Ｂ」と記された部分において互いに連結され、一連の処理を示す。
【００８６】
制御部１０は、記憶部１１に記憶された設定テーブル１１１を参照し（ステップＳｔ１）、チャネルＣＨｉに割り当てられた波長λｉが通過設定であるか否かを判定する（ステップＳｔ２）。チャネルＣＨｉに割り当てられた波長λｉが通過設定である場合（ステップＳｔ２のＹＥＳ）、制御部１０は、波長選択スイッチ２２において、チャネルＣＨｉに割り当てられた波長λｉが選択されるように設定を行う（ステップＳｔ３）。なお、番号ｉの初期値は、例えば「１」である。
【００８７】
次に、制御部１０は、周波数軸上、チャネルＣＨｉに隣接する一方のチャネルＣＨｉ＋１について、未使用設定であるか否かを判定する（ステップＳｔ３）。隣接チャネルＣＨｉ＋１に割り当てられた波長λｉ+1が未使用設定である場合（ステップＳｔ４のＹＥＳ）、制御部１０は、波長選択スイッチ２２に対し、通過設定がなされたチャネルＣＨｉに割り当てられた波長の光信号を通過させるフィルタ通過帯域の上限Ｂｕ（図８参照）を調整することによって、フィルタ通過帯域が拡張されるように制御する（ステップＳｔ５）。なお、ステップＳｔ４において、隣接チャネルＣＨｉ＋１に割り当てられた波長λｉ+1に対する設定が、設定テーブル１１１内に登録されていない場合、ステップＳｔ６が行われてもよい。
【００８８】
次に、制御部１０は、周波数軸上、チャネルＣＨｉに隣接する他方のチャネルＣＨｉ−１について、未使用設定であるか否かを判定する（ステップＳｔ６）。隣接チャネルＣＨｉ−１に割り当てられた波長λｉ-1が未使用設定である場合（ステップＳｔ６のＹＥＳ）、制御部１０は、波長選択スイッチ２２に対し、通過設定のチャネルＣＨｉに割り当てられた波長λｉの光信号を通過させるフィルタ通過帯域の下限Ｂｄ（図８参照）を調整することによって、フィルタ通過帯域が拡張されるように制御する（ステップＳｔ７）。その後、制御部１０は、ステップＳｔ９の処理を行う。なお、ステップＳｔ６において、隣接チャネルＣＨｉ−１に割り当てられた波長λｉ-1に対する設定が、設定テーブル１１１内に登録されていない場合、ステップＳｔ８が行われてもよい。
【００８９】
一方、ステップＳｔ２の判定処理において、チャネルＣＨｉに割り当てられた波長λｉが通過設定ではない場合（ステップＳｔ２のＮＯ）、制御部１０は、チャネルＣＨｉに割り当てられた波長λｉが挿入設定であるか否かを判定する（ステップＳｔ１１）。チャネルＣＨｉに割り当てられた波長λｉが挿入設定である場合（ステップＳｔ１１のＹＥＳ）、制御部１０は、波長選択スイッチ２２において、チャネルＣＨｉに割り当てられた波長λｉが選択されるように設定を行う（ステップＳｔ１２）。その後、制御部１０は、ステップＳｔ８の処理を行う。
【００９０】
また、チャネルＣＨｉに割り当てられた波長λｉが挿入設定ではない場合（ステップＳｔ１１のＮＯ）、制御部１０は、チャネルＣＨｉに割り当てられた波長λｉが分岐設定であるか否かを判定する（ステップＳｔ１３）。チャネルＣＨｉに割り当てられた波長λｉが分岐設定である場合（ステップＳｔ１３のＹＥＳ）、制御部１０は、ＤＥＭＵＸ部１３のチューナブルフィルタに対し、チャネルＣＨｉに割り当てられた波長λｉを通過させるように設定を行う（ステップＳｔ１４）。その後、制御部１０は、ステップＳｔ８の処理を行う。また、チャネルＣＨｉに割り当てられた波長λｉが分岐設定ではない場合（ステップＳｔ１３のＮＯ）も同様にステップＳｔ８の処理が行われる。
【００９１】
ステップＳｔ８において、制御部１０は、設定テーブル１１１に他のチャネルが登録されているか否かを確認する（ステップＳｔ８）。他のチャネルが登録されている場合（ステップＳｔ８のＹＥＳ）、制御部１０は、番号ｉをｉ＋１として（ステップＳｔ９）、設定テーブル１１１内の他のチャネルについてステップＳｔ１から再び処理を行う。
【００９２】
一方、他に登録されたチャネルがない場合（ステップＳｔ８のＮＯ）、制御部１０は、処理を終了する。このようにして、制御部１０は、チャネルに割り当てられた波長に関する設定処理を行う。
【００９３】
上述した実施例において、設定処理は、ネットワーク管理装置８により設定された設定テーブル１１１に基づいて、制御部１０により行われるが、これに限定されず、ネットワーク管理装置８から行われてもよい。図１４は、ネットワーク管理装置８の一例を示す構成図である。
【００９４】
ネットワーク管理装置８は、例えば、監視制御用ネットワークＮＷを介して各ＲＯＡＤＭ装置１と通信することができるサーバ装置である。ネットワーク管理装置８は、入力部８３と、設定処理部８４と、記憶部８１とを有する。
【００９５】
入力部８３は、使用者が情報を入力するために操作するデバイスであり、例えばキーボード、及びマウスである。また、設定処理部８４は、例えばＣＰＵなどの演算処理回路であり、所定のプログラムに基づいてネットワーク管理装置８を制御する。設定処理部８４は、監視制御用ネットワークＮＷを介して、各ＲＯＡＤＭ装置１と通信を行い、各ＲＯＡＤＭ装置１に対して設定処理を行う。なお、設定処理部８４は、このようにソフトウェアにより機能するものに限定されることはなく、特定用途向け集積回路などのハードウェアにより機能するものであってもよい。
【００９６】
記憶部８１１は、例えばメモリであり、各ＲＯＡＤＭ装置１の伝送性能に関するパラメータ８１０、及び、光信号の波長（対応するチャネル）ごとの設定が登録された設定テーブル８１１を記憶する。パラメータ８１０、及び設定テーブル８１１は、上述したパラメータ１１０、及び設定テーブル１１１と同様であり、入力部８３を介して、複数のＲＯＡＤＭ装置１の各々について登録される。なお、パラメータ８１０、及び設定テーブル８１１の登録は、例えばＣＬＩ（Ｃｏｍｍａｎｄ  Ｌｉｎｅ  Ｉｎｔｅｒｆａｃｅ）などの入力手段により行われてもよい。
【００９７】
設定処理部８４は、設定テーブル８１１を参照して、上述したＲＯＡＤＭ装置１に対して設定処理を行う。設定処理部８４は、例えば、設定内容を含む指示信号をＲＯＡＤＭ装置１の制御部１０に送信する。そして、制御部１０は、当該設定内容に応じて、波長選択スイッチ２２、及びＤＥＭＵＸ部１３の設定を行う。
【００９８】
設定処理部８４は、上述した制御部１０と同様の処理を行う。つまり、設定処理部８４は、挿入設定がなされた光信号の波長に割り当てられたチャネル、及び、通過設定がなされた波長の光信号に割り当てられたチャネルが隣接しないとき、通過設定がなされた波長の光信号を通過させる帯域を拡張する。設定処理部８４は、さらに、分岐設定がなされた光信号の波長に割り当てられたチャネル、及び、通過設定がなされた波長の光信号に割り当てられたチャネルが隣接しないとき、通過設定がなされた波長の光信号を通過させる帯域を拡張する。
【００９９】
このとき、設定処理部８４は、通過設定がなされた波長の光信号を通過させる帯域を、該帯域の上限Ｂｕ、及び下限Ｂｄ（図８参照）の少なくとも一方を調整することによって、拡張してもよい。また、設定処理部８４は、通過設定がなされた波長の光信号を通過させる帯域を、ＲＯＡＤＭ装置１の伝送性能に関するパラメータ８１０に応じて拡張してもよい。
【０１００】
したがって、本実施例においても、先の実施例と同様の作用効果が得られる。また、本実施例において、設定処理部８４は、ネットワーク８０内の各ＲＯＡＤＭ装置１を管理するから、装置１ごとのパラメータ８１０、及び設定テーブル８１１をまとめて管理し、各装置１の設定処理を一括して行うことができる。
【０１０１】
また、図３に示された構成において、制御部１０は、波長選択スイッチ２２とは別に設けられているが、波長選択スイッチ２２に含まれてもよい。この場合、制御部１０は、先の実施例と同様に、挿入設定がなされた波長に割り当てられたチャネル、及び、通過設定がなされた波長に割り当てられたチャネルが隣接しないとき、通過設定がなされた波長の光信号を通過させる帯域を拡張する。このとき、制御部１０は、通過設定がなされた波長の光信号を通過させる帯域を、該帯域の上限Ｂｕ、及び下限Ｂｄ（図８参照）の少なくとも一方を調整することによって、拡張してもよい。したがって、この実施形態においても、上述した作用効果が得られる。なお、本実施形態において、記憶部１１は、波長選択スイッチ２２とは別に設けられてもよいし、波長選択スイッチ２２に含まれてもよい。
【０１０２】
次に、図１５〜図１７を参照して、上述した各実施例の効果を説明する。図１５は、スペクトル狭窄による信号劣化（丸印参照）、及び信号間のクロストーク（三角印参照）のペナルティ特性を示すグラフである。なお、図１５のシミュレーション結果は、４０（Ｇｂｐｓ）の光信号をＲＺ−ＤＱＰＳＫ（Ｒｅｔｕｒｎ−ｔｏ−Ｚｅｒｏ  Ｄｉｆｆｅｒｅｎｃｉａｌ  Ｑａｄｏｒａｔｕｒｅ  Ｐｈａｓｅ  Ｓｈｉｆｔ  Ｋｅｙｉｎｇ）方式により変調することを条件として得られたものである。
【０１０３】
横軸の帯域幅は、複数のＲＯＡＤＭ装置１を光信号が通過した場合におけるフィルタ通過帯域の累積値である。この累積帯域幅が広くなるほど、光信号のスペクトルの狭窄による信号劣化のペナルティは低減される。一方、該光信号の波長に割り当てたチャネルに、周波数軸上、隣接するチャネルが存在し、かつ、該隣接チャネルに割り当てた波長の光信号を遮断する場合（つまり、上述した光信号の分岐時の遮断に該当）、累積帯域幅が広くなるほど、クロストークのペナルティが増加する。したがって、上述したように、分岐設定がなされた波長が存在する場合に、フィルタ通過帯域の拡張を行わないことによって、クロストークの影響が回避される。
【０１０４】
図１６は、伝送路数に対するＯＳＮＲペナルティ特性を示すグラフである。三角印は、フィルタ通過帯域の拡張（１ピクセル分の拡張）を行った場合の特性を示し、丸印は、フィルタ通過帯域の拡張を行わない場合の特性を示す。横軸の伝送路数は、各ＲＯＡＤＭ装置１の間を結ぶ伝送路（スパン数）を示す。縦軸のＯＳＮＲペナルティは、図１７において符号ΔＰで示される値である。
【０１０５】
図１７は、ビットエラーレートのＯＳＮＲに対する依存性を示すグラフである。横軸のＯＮＳＲは、光信号のパワーと雑音光のパワーの比を示す。縦軸のＢＥＲは、全ビット数に対するエラービット数の比を示す。
【０１０６】
グラフＧ１２は、１台のＲＯＡＤＭ装置１内において光信号を伝送した場合のＯＳＮＲ耐性を示し、他方、グラフＧ１３は、複数台のＲＯＡＤＭ装置１間の伝送路において光信号を伝送した場合のＯＳＮＲ耐性を示す。グラフＧ１３に示されるＯＳＮＲ耐性は、複数の波長選択スイッチ２２を通過したときの特性であるから、グラフＧ１２と比較すると、ビットエラーレートが高い。
【０１０７】
図１７のＯＳＮＲペナルティΔＰは、ビットエラーレートが１×１０−３を基準とするＯＳＮＲの差分である。図１６に示されるように、ＯＳＮＲペナルティは、フィルタ通過帯域の拡張を行った場合、伝送路数が増加するほど、良好な特性を示す。これは、上述したように、挿入設定、分岐設定、通過設定、及び未使用設定のうち、通過設定の波長に割り当てられたチャネルについて、周波数軸上、未使用設定のチャネルと隣接する場合に、波長選択スイッチ２２のフィルタ通過帯域が拡張されるからである。
【０１０８】
以上、好ましい実施例を参照して本発明の内容を具体的に説明したが、本発明の基本的技術思想及び教示に基づいて、当業者であれば、種々の変形態様を採り得ることは自明である。
【０１０９】
なお、以上の説明に関して更に以下の付記を開示する。
（付記１）  入力された光信号を分岐し、該分岐した光信号を第１及び第２出力ポートからそれぞれ出力する分岐部と、
前記第１出力ポートから第１入力ポートに入力された光信号のうち、所定波長の光信号を通過させ、前記所定波長の光信号と、第２入力ポートから挿入された光信号とを出力する挿入部と、
前記第２入力ポートから挿入された光信号の波長に割り当てられたチャネル、及び、前記所定波長に割り当てられたチャネルが隣接しないとき、前記所定波長の光信号を通過させる帯域を拡張する制御部とを有することを特徴とする光分岐挿入装置。
（付記２）  前記制御部は、さらに、前記第２ポートから出力された光信号の波長に割り当てられたチャネル、及び、前記所定波長に割り当てられたチャネルが隣接しないとき、前記所定波長の光信号を通過させる帯域を拡張することを特徴とする付記１に記載の光分岐挿入装置。
（付記３）  前記制御部は、前記所定波長の光信号を通過させる帯域を、該帯域の上限、及び下限の少なくとも一方を調整することによって、拡張することを特徴とする付記１または２に記載の光分岐挿入装置。
（付記４）  前記制御部は、前記所定波長の光信号を通過させる帯域を、自装置の伝送性能に関するパラメータに応じて拡張することを特徴とする付記１乃至３の何れかに記載の光分岐挿入装置。
（付記５）  入力された光信号を分岐し、該分岐した光信号を、第１及び第２出力ポートからそれぞれ出力する分岐部と、前記第１出力ポートから第１入力ポートに入力された光信号のうち、所定波長の光信号を通過させ、前記所定波長の光信号と、第２入力ポートから挿入された光信号とを出力する挿入部とを有する光分岐挿入装置に対して、前記第２入力ポートから挿入された光信号の波長に割り当てられたチャネル、及び、前記所定波長に割り当てられたチャネルが隣接しないとき、前記所定波長の光信号を通過させる帯域を拡張する設定処理部を有することを特徴とするネットワーク管理装置。
（付記６）  前記設定処理部は、さらに、前記第２ポートから出力された光信号の波長に割り当てられたチャネル、及び、前記所定波長に割り当てられたチャネルが隣接しないとき、前記所定波長の光信号を通過させる帯域を拡張することを特徴とする付記５に記載のネットワーク管理装置。
（付記７）  前記設定処理部は、前記所定波長の光信号を通過させる帯域を、該帯域の上限、及び下限の少なくとも一方を調整することによって、拡張することを特徴とする付記５または６に記載のネットワーク管理装置。
（付記８）  前記設定処理部は、前記所定波長の光信号を通過させる帯域を、自装置の伝送性能に関するパラメータに応じて拡張することを特徴とする付記５乃至７の何れかに記載のネットワーク管理装置。
（付記９）  光信号が入力される第１及び第２入力ポートと、
前記第１入力ポートに入力された光信号のうち、所定波長の光信号を通過させるフィルタ部と、
前記フィルタ部を通過した前記所定波長の光信号、及び、前記第２入力ポートから入力された光信号を出力する出力ポートと、
前記第２入力ポートから入力された光信号の波長に割り当てられたチャネル、及び、前記所定波長に割り当てられたチャネルが隣接しないとき、前記所定波長の光信号を通過させる帯域を拡張する制御部とを有することを特徴とする波長選択スイッチ。
（付記１０）  前記制御部は、前記所定波長の光信号を通過させる帯域を、該帯域の上限、及び下限の少なくとも一方を調整することによって、拡張することを特徴とする付記９に記載の波長選択スイッチ。
【符号の説明】
【０１１０】
１                    ＲＯＡＤＭ装置（光分岐挿入装置）
１０                  制御部
１１                  記憶部
１１０                パラメータ
１１１                設定テーブル
１３                  ＤＥＭＵＸ部（分離部）
１４                  ＭＵＸ部
２１                  スプリッタ
２２                  波長選択スイッチ
８                    ネットワーク管理装置
８０                  設定処理部
８１                  記憶部
８１０                パラメータ
８１１                設定テーブル
【図１】
2014014017.tif 000003
【図２】
2014014017.tif 000004
【図３】
2014014017.tif 000005
【図４】
2014014017.tif 000006
【図５】
2014014017.tif 000007
【図６】
2014014017.tif 000008
【図７】
2014014017.tif 000009
【図８】
2014014017.tif 000010
【図９】
2014014017.tif 000011
【図１０】
2014014017.tif 000012
【図１１】
2014014017.tif 000013
【図１２】
2014014017.tif 000014
【図１３】
2014014017.tif 000015
【図１４】
2014014017.tif 000016
【図１５】
2014014017.tif 000017
【図１６】
2014014017.tif 000018
【図１７】
2014014017.tif 000019